(57)【特許請求の範囲】
【請求項１】
複数の動物を曳くためのリードであって、
第１のリードロープと、滑車と、該ロープ上の位置を移動し得るストッパーと、該ロープの両端部に設けられた連結部を少なくとも有するメインリードと、
第２のリードロープと、その両端部に設けられた連結部を少なくとも有するサブリード、
を備え、
第１のリードロープは、前記滑車の索輪に係合され、前記ストッパーは前記滑車を挟むように２個配置され、第１のリードロープが前記ストッパー間の範囲において前記滑車上を滑動でき、
前記メインリードと前記サブリードは、それぞれの連結部を用いて連結され、連結が解除されるとそれぞれ独立したリードとして使用でき、
前記滑車には、滑動停止用連結具が更に設けられ、
２個の前記ストッパーのそれぞれには、滑動停止用係留リングが更に設けられ、
前記滑動停止用連結具に前記滑動停止用係留リングを連結することで、前記滑車の滑動を停止し得ることを特徴とするペット用リード。
【請求項２】
前記メインリードの端部に設けられた連結部、及び、前記サブリードの端部に設けられた連結部は、連結具または該連結具と係合する係合部であることを特徴とする請求項１に記載のペット用リード。
【請求項３】
前記滑車は、把持部材と連結されている、または、把持部材と連結し得ることを特徴とする請求項１又は２に記載のペット用リード。
【請求項４】
前記ストッパーは、少なくとも２つの貫通孔が設けられた弾性体であり、前記貫通孔に第１のリードロープが順に挿通されることにより、該ロープ上の位置を移動し得ることを特徴とする請求項１〜３の何れかに記載のペット用リード。
【請求項５】
前記ストッパーと第１のリードロープの間に前記滑動停止用係留リングが挟持され設けられたことを特徴とする請求項１に記載のペット用リード。
【請求項６】
前記ストッパーは、第１のリードロープにより形成された結び目であり、前記滑動停止用係留リングが挟持された状態で、前記結び目が形成されたことを特徴とする請求項１に記載のペット用リード。
【発明の詳細な説明】
【技術分野】
【０００１】
本発明は、犬などのペットの首輪やハーネスに取り付けるリードに関するものである。
【背景技術】
【０００２】
一般に、犬などのペットを散歩させる際には、ペットの体に首輪やハーネスを取り付け、首輪やハーネスに設けられた係留リングにリードを取り付ける。リードには把持部が設けられ、飼い主等のユーザは、把持部を把持して散歩に出かけることとなる。
しかしながら、例えば犬の場合、犬種や大きさによってはリードを引っ張る力が強く、飼い主にとってもリードの扱いが容易ではない場合がある。しかも、複数のペットを同時に散歩に連れて行くとなると、リードの扱いは更に容易ではないという問題がある。
【０００３】
２匹の犬を散歩させるリードとしては、滑車を用いたリードが知られている（特許文献１を参照）。これは、滑車にリードロープを取り付け、滑車に設けられる取っ手を回転可能とすることで、リードロープが絡まることなく、２匹の犬の力を分散させることを可能としたものであり、２匹の犬を片手で楽に散歩させることができるとする。
しかしながら、２匹の犬を散歩させる場合でも、例えば、人混みで周囲に十分なスペースがない場合には、滑車を機能させず、犬の動きを制限することが望ましいといえるが、上記特許文献１に開示されたリードでは、滑車の滑動性能を制限する機構は設けられていないという問題がある。
また、２匹の犬を散歩させる場合でも、飼い主は常に１人で散歩に連れて行くとは限らない。例えば、２人で２匹の犬を散歩させる場合、それぞれが１匹ずつリードを曳くことを望むこともあるであろうし、また時には、何れか１人が２匹の犬を同時に扱うことも考えられる。このように、一度の散歩であっても、多様なニーズが存在するが、上記特許文献１に開示されたリードでは、そのような多様なニーズには応えられないという問題がある。
【０００４】
そこで、２匹の犬を一括して曳くことができ、また、状況に応じてリードを分離して個別に使用することのできるペット用リードが知られている（特許文献２を参照）。これは、取っ手に複数のリードが連結具を介して設けられ、連結具を操作することで、一部のリードを取り外し、個別のリードとして使用可能としたものである。これによれば、ユーザのニーズに応じて、２匹の犬を一括して曳くことや、個別に曳くことが可能である。
しかしながら、上記特許文献２のペット用リードでは、滑車を用いるような構成は開示されておらず、２匹の犬を一括して曳く際に、２匹の犬の力は分散されず、リードの扱いが困難になるといった問題がある。
【先行技術文献】
【特許文献】
【０００５】
【特許文献１】特開２００５−３２８８１４号公報
【特許文献２】特開２００８−１４２０１８号公報
【発明の概要】
【発明が解決しようとする課題】
【０００６】
かかる状況に鑑みて、本発明は、複数のペットを容易に散歩させることができ、必要に応じてペットの動きを制限でき、かつ、個別にペットを散歩させることができるペット用リードを提供することを目的とする。
【課題を解決するための手段】
【０００７】
上記課題を解決すべく、本発明のペット用リードは、複数の動物を曳くためのリードであって、第１のリードロープと、滑車と、該ロープ上の位置を移動し得るストッパーと、該ロープの両端部に設けられた連結部を少なくとも有するメインリードと、第２のリードロープと、その両端部に設けられた連結部を少なくとも有するサブリードを備え、第１のリードロープは、滑車の索輪に係合され、ストッパーは滑車を挟むように２個配置され、第１のリードロープがストッパー間の範囲において滑車上を滑動でき、メインリードとサブリードは、それぞれの連結部を用いて連結され、連結が解除されるとそれぞれ独立したリードとして使用し得る。
【０００８】
メインリードとサブリードが、連結部を用いて連結されることにより、複数のペットを同時に曳くことができる。また、メインリードに滑車を備えることにより、複数のペットの力を分散させることができるため、少ない力で複数のペットを同時に曳くことができ、リードの扱いが容易となる。
メインリードとサブリードの連結が解除できることにより、それぞれ独立したリードとして使用でき、個別にペットを散歩させることが可能となる。
【０００９】
なお、使用される滑車の上部形状はオーフ型、フック型、シャックル型の何れを使用することも可能であるが、ロープ等の把持部材を取り付けた際に、滑車から把持部材が脱落し難い形状であることが好ましいため、オーフ型であることが好ましい。また、本発明のペット用リードの使用時に、ロープが絡まることを防止するために、滑車上部のオーフ、フック又はシャックルと、滑車本体との接続部には、自在に回転可能なスイベル式の機構が設けられることが好ましい。
第１のリードロープの長さは１７０〜２２０ｃｍであることが好ましく、第２のリードロープの長さは９０〜１４０ｃｍであることが好ましい。
【００１０】
本発明のペット用リードにおいて、メインリードの端部に設けられた連結部、及び、サブリードの端部に設けられた連結部は、連結具または該連結具と係合する係合部であることが好ましい。ここで、連結具とは、公知の金属製の連結具が好適に用いられるが、樹脂製の連結具でもよい。また、係合部は、該ロープを環状に形成することが好ましい。
メインリードの一端は、犬等のペットに取り付けられた首輪やハーネス等と連結され、他端はサブリードと連結される構造である。また、サブリードの一端は、犬等のペットに取り付けられた首輪やハーネス等と連結され、他端はメインリードと連結される構造である。
メインリード及びサブリードが、首輪やハーネス等と連結される端部については、連結具または係合部の何れを採用することも可能であるが、連結具が設けられることが好ましい。一般に首輪やハーネス等には係留リングが設けられていることが多いため、かかる構成とされることにより、本発明のペット用リードと首輪やハーネス等を容易に連結することが可能となる。
【００１１】
また、サブリードと連結されるメインリードの端部、及び、メインリードと連結されるサブリードの端部についても、連結具または係合部の何れを採用することも可能であるが、メインリードの該端部に設けられた連結部が連結具である場合には、サブリードの該端部に設けられた連結部は係合部であることが好ましい。これに対して、サブリードの該端部に設けられた連結部が連結具である場合には、メインリードの該端部に設けられた連結部は係合部であることが好ましい。なお、メインリードの該端部に設けられた連結部及びサブリードの該端部に設けられた連結部が、何れも係合部である場合には、別途、連結具を用いることで連結可能である。
【００１２】
本発明のペット用リードにおいて、滑車には、滑動停止用連結具が更に設けられ、２個のストッパーのそれぞれには、滑動停止用係留リングが更に設けられ、滑動停止用連結具に滑動停止用係留リングを連結することで、滑車の滑動を停止し得ることが好ましい。
かかる構成とされることにより、滑動停止用連結具と滑動停止用係留リングを連結して、滑車の機能を一時的に停止させ、ペットの動きを容易に制限することが可能となる。ここで、滑動停止用連結具としては公知の金属製の連結具が好適に用いられるが、樹脂製の部材でもよい。また、滑動停止用係留リングとしては公知の金属製のリング部材が好適に用いられるが、樹脂や繊維により形成された部材でもよい。
【００１３】
本発明のペット用リードにおいて、滑車は、把持部材と連結されている、または、把持部材と連結し得ることが好ましい。かかる構成とされることにより、ユーザは把持部材を把持して、簡単にペット用リードを扱うことができる。把持部材は、滑車に設けられたオーフ、フック又はシャックルに取り付けられることが好ましい。
また、サブリードについても、第１のリードロープと連結される第２のリードロープの端部又は該端部に設けられた連結部は、把持部材と連結されている、または、把持部材と連結し得ることが好ましい。かかる構成とされることにより、メインリードとサブリードの連結を解除して、それぞれ独立したリードとして使用する際に、それぞれ把持部材を把持して、個別にペットを散歩させることが可能となり、利便性が向上する。
把持部材は、取扱いの容易なロープ状の部材であることが好ましいが、樹脂製や金属製の部材でもよい。
【００１４】
本発明のペット用リードにおいて、ストッパーは、少なくとも２つの貫通孔が設けられた弾性体であり、貫通孔に第１のリードロープが順に挿通されることにより、該ロープ上の位置を移動し得ることが好ましい。
ストッパーに２つ以上の貫通孔が設けられ、順に挿通されることにより、該ロープ上におけるストッパーの位置を容易に調整でき、また、任意の位置で容易に固定することができる。なお、ストッパーは、弾力性のある樹脂で形成されることが好ましい。
【００１５】
本発明のペット用リードは、ストッパーと第１のリードロープの間に滑動停止用係留リングが挟持され設けられたことでもよい。
ストッパーと第１のリードロープの間に滑動停止用係留リングが挟持されることにより、よりシンプルな構成とすることができ、低コストでの作製が可能となる。
【００１６】
本発明のペット用リードにおいて、ストッパーは、第１のリードロープにより形成された結び目であり、滑動停止用係留リングが挟持された状態で、結び目が形成されたことでもよい。
第１のリードロープにより形成された結び目をストッパーとして利用することで、より簡素な構成とすることができ、低コストでの作製が可能となる。また、結び目の位置を変化させることで、滑車によるリードロープの移動範囲を調整することが可能である。
【発明の効果】
【００１７】
本発明のペット用リードによれば、複数のペットを容易に散歩させることができ、必要に応じてペットの動きを制限でき、かつ、個別にペットを散歩させることができるといった効果がある。
【図面の簡単な説明】
【００１８】
【図１】実施例１のペット用リードの正面図
【図２】実施例１のペット用リードの説明図
【図３】実施例１のペット用リードの使用イメージ図１
【図４】実施例１のペット用リードの使用イメージ図２
【図５】連結具を用いた使用イメージ図
【図６】実施例１のペット用リードの分離時の説明図
【図７】実施例２のストッパーの構造説明図
【図８】実施例３のストッパーの構造説明図
【図９】実施例１のペット用リードに用いる連結具の正面図
【発明を実施するための最良の形態】
【００１９】
以下、本発明の実施形態の一例を、図面を参照しながら詳細に説明していく。なお、本発明の範囲は、以下の実施例や図示例に限定されるものではなく、幾多の変更及び変形が可能である。
【実施例１】
【００２０】
図１は、実施例１のペット用リードの正面図を示している。図１に示すように、ペット用リード１００は、メインリード１０及びサブリード２０から成る。図２は、実施例１のペット用リードの説明図を示している。図２に示すように、メインリード１０は、リードロープ１、滑車３、把持ロープ４１から成り、リードロープ１は、滑車本体３ａ内の索輪（図示せず）に係合され、滑動し得る構造となっている。また、把持ロープ４１は、滑車３のリング部３ｂに取り付けられている。本実施例では、メインリード１０の把持部材として把持ロープ４１、サブリード２０の把持部材として把持ロープ４２を使用しているが、把持部材の素材としてはロープに限られず、例えば、硬質の樹脂製の取っ手でもよい。
【００２１】
ここで、本実施例で使用する連結具について説明する。図９は、実施例１のペット用リードに用いる連結具の正面図を示している。図９に示すように、連結具６には、フック部６ａ、リング部６ｂ、操作部６ｃ及びスライドバー６ｄが設けられている。フック部６ａにおいて、スライドバー６ｄは、操作部６ｃを下にスライドすることにより開放され、操作部６ｃから手を離すと上方にスライドして閉じられる構造となっている。また、リング部６ｂは、ロープ等を係合でき、かつ自在に回転し得る構造となっている。本実施例では複数の連結具（６０〜６３）が用いられているが、いずれも連結具６と同様の構造を有している。
【００２２】
図２に示すように、滑車３のリング部材３ｂは、オーフ型であるため把持ロープ４１が滑車のリング部３ｂから抜け落ちることのない構造である。また、滑車本体３ａとリング部３ｂの接続部はスイベル式となっているため、滑車本体３ａに対してリング部３ｂは自在に回転しうる構造となっている。
【００２３】
リードロープ１の一方の端部１ａは環状に形成され、連結具６１のリング部６１ｂに係合され固定されている。連結具６１は、犬などの首輪やハーネスに設けられた係留リング（図示せず）に固定することができる。また、リードロープ１の他方の端部１ｂについても環状に形成され、サブリード２０の連結具６３のフック部６３ａと係合される構造となっている。
リードロープ１は、滑車３を挟むようにストッパー（５１，５２）が設けられている。ストッパー（５１，５２）は、樹脂で形成され、図示しない留め具によりリードロープ１に固定されている。ストッパー（５１，５２）が設けられることにより、滑車３の索輪上をリードロープ１が滑動する範囲を一定の範囲に限定することができる。
【００２４】
サブリード２０は、リードロープ２及び把持ロープ４２から成り、リードロープ２の一方の端部２ａは環状に形成され、連結具６２のリング部６２ｂに係合され固定されている。連結具６２についても連結具６１と同様に、犬などの首輪やハーネスに設けられた係留リング（図示せず）に固定することができる。また、リードロープ２の他方の端部２ｂについても環状に形成され、連結具６３のリング部６３ｂに係合され固定されている。なお、把持ロープ４２は、連結具６３のリング部６３ｂに取り付けられているが、かかる構成とは異なり、リードロープ２の端部２ｂに係合することでもよい。連結具６３のフック部６３ａは、リードロープ１の端部１ｂと係合される構造である。
【００２５】
ここで、実施例１のペット用リードの使用方法について説明する。図３及び図４は、実施例１のペット用リードの使用イメージ図を示している。例えば、図３に示すように、連結具６２が取り付けられたペット（図示せず）によりリードロープ２が強く引っ張られた場合には、連結具６２が取り付けられた側のロープが長くなり、連結具６１が取り付けられた側のロープが短くなる。但し、リードロープ１には、ストッパー５１が設けられているため、ストッパー５１が滑車３に当接した状態で止まることとなる。
これに対して、図４に示すように、連結具６１が取り付けられたペット（図示せず）によりリードロープ１が強く引っ張られた場合には、連結具６１が取り付けられた側のロープが長くなり、連結具６２が取り付けられた側のロープが短くなる。但し、リードロープ１には、ストッパー５２が設けられているため、ストッパー５２が滑車３に当接した状態で止まることとなる。
このように、連結具（６１，６２）が取り付けられたペットは、ストッパー（５１，５２）の範囲で自由に動くことができる。また、滑車３を用いることで、リードロープ（１，２）にかかる力を分散できるため、少ない力で複数のペットを同時に扱うことができる。
なお、図１に示すように、ストッパー５１から連結具６１までの長さＬ１と、ストッパー５２から連結具６２までの長さＬ２は同等となっているため、何れの連結具（６１，６２）に何れのペットの首輪等を取り付けても、同様に使用することができる。
【００２６】
図２に示すように、ストッパー５１にはリング部材７１が設けられ、ストッパー５２にはリング部材７２が設けられている。また、滑車本体３ａには、リング部材７４を介して連結具６０が取り付けられている。ここでは、連結具６０は、リング部材７４を介して滑車本体３ａに取り付けられているが、リング部材７４を介さずに直接滑車本体３ａに取り付ける構成でもよい。
図５は、連結具を用いた使用イメージ図を示している。図５に示すように、リング部材（７１，７２）は、連結具６０のフック部６０ａに係合することが可能である。リング部材（７１，７２）を連結具６０に取り付けると、ストッパー（５１，５２）間のリードロープ１は弛んだ状態となり、滑車３は機能しない状態となるため、ペットの自由な動きを制限したい場合等に利用可能である。また、リング部材（７１，７２）を連結具６０に取り付けると、把持ロープ４１から連結具（６１，６２）までの長さが短くなるため、かかる点においても、ペットの自由な動きを効果的に制限できる。
【００２７】
図１〜５に示すペット用リード１００は、メインリード１０のリードロープ１の端部１ｂと、サブリード２０に設けられた連結具６３のフック部６３ａの連結状態を解除することで、個別のペット用リードとして利用することが可能である。図６は、実施例１のペット用リードの分離時の説明図であり、（１）はサブリード、（２）はメインリードを示している。
図６（１）に示すように、サブリード２０は、把持ロープ４２を把持して、リードロープ２を曳くことが可能である。また、図６（１）及び（２）に示すように、サブリード２０の全長はメインリード１０よりも短く形成されている。
図６（２）に示すように、メインリード１０を単体で使用する場合には、リング部材（７１，７２）を、連結具６０のフック部６０ａに係合することで、滑車３の滑動機能を停止し、かつ把持ロープ４１から連結具６１までの長さをより短くして、利用すること可能である。これに対して、メインリード１０をより長いリードとして利用したい場合には、リング部材（７１，７２）を、連結具６０のフック部６０ａに係合しないで利用することも可能である。かかる場合においても、ストッパー７２が設けられているため、ペットによりリードロープ１が引っ張られたとしても、滑車３からリードロープ１が抜け落ちることがない構造である。
【実施例２】
【００２８】
図７は、実施例２のストッパーの構造説明図であり、（１）は正面図、（２）は左側面図を示している。図７（１）及び（２）に示すように、リードロープ１には、板状のストッパー５３が取り付けられている。具体的には、リードロープ１をストッパー５３に設けられた貫通孔（５３ａ〜５３ｃ）に挿通することで、取り付けられている。また、リング部材７３は、リードロープ１を貫通孔５３ａに挿通した後に、ストッパー５３とリードロープ１の間に挟み込み、その後、リードロープ１を５３ｂに挿通することで取り付けられている。このように、留め具を使用しなくてもストッパーの形状や取り付け方法を工夫することで、より低コストでペット用リードを作製することが可能である。また、ストッパー５３の位置を調整することで、滑車３によるリードロープ１の滑動範囲を調整することも可能である。
【実施例３】
【００２９】
図８は、実施例３のストッパーの構造説明図であり、（１）は正面図、（２）は左側面図を示している。図８に示すように、リードロープ１上にストッパーとなる部材を別途設けずに、リードロープ１自体を結ぶことで結び目１ｃを作り、ストッパーとして利用することも可能である。リング部材７３は、リードロープ１を結ぶ際に、リング内を挿通して結ぶことにより、結び目１ｃにおいて固定されている。実施例１又は２とは異なり、ストッパーとなる部材を別途設けないことにより、より低コストでの作製が可能である。また、結び目１ｃの位置を変えることで、実施例２と同様に、滑車３によるリードロープ１の滑動範囲を調整することも可能である。
【産業上の利用可能性】
【００３０】
本発明は、犬などのペットの首輪やハーネスに取り付けるリードとして有用である。
【符号の説明】
【００３１】
１，２  リードロープ
１ａ，１ｂ，２ａ，２ｂ  端部
１ｃ  結び目
３  滑車
３ａ  滑車本体
３ｂ，６ｂ，６０ｂ，６１ｂ，６２ｂ，６３ｂ  リング部
６，６０〜６３  連結具
６ａ，６０ａ，６１ａ，６２ａ，６３ａ  フック部
６ｃ  操作部
６ｄ  スライドバー
１０  メインリード
２０  サブリード
４１，４２  把持ロープ
５１〜５３  ストッパー
５３ａ〜５３ｃ  貫通孔
７１〜７４  リング部材
１００  ペット用リード
Ｌ  長さ
【要約】
【課題】複数のペットを容易に散歩させることができ、必要に応じてペットの動きを制限でき、かつ、個別にペットを散歩させることができるペット用リードを提供する。
【解決手段】複数の動物を曳くためのリードであって、第１のリードロープと、滑車と、該ロープ上の位置を移動し得るストッパーと、該ロープの両端部に設けられた連結部を少なくとも有するメインリードと、第２のリードロープと、その両端部に設けられた連結部を少なくとも有するサブリードを備え、第１のリードロープは、滑車の索輪に係合され、ストッパーは滑車を挟むように２個配置され、第１のリードロープがストッパー間の範囲において滑車上を滑動でき、メインリードとサブリードは、それぞれの連結部を用いて連結され、連結が解除されるとそれぞれ独立したリードとして使用し得る。
【選択図】図１【図１】
0006667923.tif 000002
【図２】
0006667923.tif 000003
【図３】
0006667923.tif 000004
【図４】
0006667923.tif 000005
【図５】
0006667923.tif 000006
【図６】
0006667923.tif 000007
【図７】
0006667923.tif 000008
【図８】
0006667923.tif 000009
【図９】
0006667923.tif 000010